(57)【要約】      （修正有）【課題】簡易な構成によって高電圧部品からホルダーの貫通孔を経て金属部へ至る放電経路の放電を防止することが出来る、電子機器の絶縁構造を提供する。【解決手段】ホルダー５上に、表面に高電圧部品６１を搭載した回路基板６が保持され、該ホルダー５には貫通孔５２が開設され、該ホルダー５の裏面側には、貫通孔５２の近傍位置に金属部４０が配備されている電子機器において、回路基板６は、ホルダー５の貫通孔５２を覆うように拡張された拡張部６０を有し、高電圧部品６１から拡張部６０を迂回して金属部４０に至るまでの空間距離によって、高電圧部品６１と金属部４０の間の電気的絶縁を図っている。【選択図】図６
2011137852.tif 000002
【特許請求の範囲】
【請求項１】
ホルダー上に、表面に高電圧部品を搭載した回路基板が保持され、該ホルダーには、その表面から裏面へ貫通する貫通孔が開設され、該ホルダーの裏面側には、前記貫通孔の近傍位置に、金属部が配備されている電子機器において、前記回路基板は、前記ホルダーの貫通孔を覆うように拡張された拡張部を有し、前記高電圧部品から拡張部を迂回して前記金属部に至るまでの空間距離によって、前記高電圧部品と金属部の間の電気的絶縁を図っていることを特徴とする電子機器の絶縁構造。
【請求項２】
前記ホルダーは合成樹脂製であって、該ホルダーには、前記回路基板を係止するためのフックが突設され、前記貫通孔は、樹脂成型によってホルダーにフックを形成する際に必要となる型抜きのための孔である請求項１に記載の電子機器の絶縁構造。
【請求項３】
前記ホルダーの裏面側には、第２の回路基板が配備され、該回路基板には、前記高電圧部品に電力を供給するためのＤＣジャックが半田によって接続されており、該半田が前記金属部を構成している請求項１又は請求項２に記載の電子機器の絶縁構造。
【発明の詳細な説明】
【技術分野】
【０００１】
本発明は、ビデオカメラ等の電子機器において高電圧部品からその周辺の金属部への放電を防止するための絶縁構造に関するものである。
【背景技術】
【０００２】
ビデオカメラにおいては、図８〜図１０に示すストロボ発光装置が内蔵されている。該ストロボ発光装置においては、低圧側基板(４)の表面に、ストロボ発光部(２)と、高電圧部品(91)を搭載した高圧側基板(９)とが配備され、ストロボ発光部(２)及び高圧側基板(９)は、低圧側基板(４)上に設置された合成樹脂製のホルダー(５)によって保持されている。
又、図８に示す様に、低圧側回路基板(４)の裏面には、ＤＣジャック(３)が配備され、直流電源によってストロボ発光装置を充電することが可能となっている。
【０００３】
この様なストロボ発光装置を内蔵したビデオカメラにおいては、高電圧部品(91)から周辺の金属部分への放電を防止するために、高電圧が印加される高圧パターンは高圧側回路基板(９)の表面のみに配備して、回路基板(９)自体によって高電圧部品(91)の絶縁を図ることが行なわれている。
【０００４】
又、図８〜図１０に示すストロボ発光装置においては、低圧側回路基板(４)上のホルダー(５)に高圧側回路基板(９)をビスなどの金属部品によって固定すると、高圧側回路基板(９)から金属部品へ放電が発生する虞があるため、高圧側回路基板(９)は、合成樹脂製のホルダー(５)に一体成型したフック(51)によって、ホルダー(５)に係止されている。
尚、ホルダー(５)には、フック(51)を一体成型する際の型抜きのための貫通孔(52)が開設されることになる。
【０００５】
一方、高電圧部品を保持するボビンの板状部分の厚さを拡大することによって、高電圧部品から金属部分までの絶縁距離を確保することが提案されている(特許文献１参照)。
【先行技術文献】
【特許文献】
【０００６】
【特許文献１】特開２００９−１２９９３８号公報
【発明の概要】
【発明が解決しようとする課題】
【０００７】
図８〜図１０に示すストロボ発光装置においては、ＤＣジャック(３)が半田によって低圧側回路基板(４)の裏面に接続されるので、低圧側回路基板(４)の表面には、図９及び図１０の如く半田付けによる金属部(40)が露出することになる。
【０００８】
ここで、カメラ本体の小型化を図るべく、図８の如くストロボ発光部(２)の近傍位置にＤＣジャック(３)を配備した場合、図９及び図１０に示す如く、低圧側回路基板(４)上の金属部(40)が、ホルダー(５)に開設された貫通孔(52)の近傍に位置することとなる。
この結果、高電圧部品(91)からホルダー(５)の貫通孔(52)を経て低圧側回路基板(４)上の金属部(40)へ至る放電経路が形成され、この放電経路の空間距離が必要な絶縁距離に満たない場合、高電圧部品(91)から貫通孔(52)を経て金属部(40)へ放電が発生することになる。
【０００９】
そこで本発明の目的は、簡易な構成によって高電圧部品からホルダーの貫通孔を経て金属部へ至る放電経路の放電を防止することが出来る、電子機器の絶縁構造を提供することである。
【課題を解決するための手段】
【００１０】
本発明に係る電子機器の絶縁構造においては、ホルダー上に、表面に高電圧部品を搭載した回路基板が保持され、該ホルダーには、その表面から裏面へ貫通する貫通孔が開設され、該ホルダーの裏面側には、前記貫通孔の近傍位置に、金属部が配備されている。
ここで、前記回路基板は、前記ホルダーの貫通孔を覆うように拡張された拡張部を有し、前記高電圧部品から拡張部を迂回して前記金属部に至るまでの空間距離によって、前記高電圧部品と金属部の間の電気的絶縁を図っている。
【００１１】
具体的態様において、前記ホルダーは合成樹脂製であって、該ホルダーには、前記回路基板を係止するためのフックが突設され、前記貫通孔は、樹脂成型によってホルダーにフックを形成する際に必要となる型抜きのための孔である。
【００１２】
又、具体的態様において、前記ホルダーの裏面側には、第２の回路基板が配備され、該回路基板には、前記高電圧部品に電力を供給するためのＤＣジャックが半田によって接続されており、該半田が前記金属部を構成している。
【００１３】
本発明に係る電子機器の絶縁構造によれば、ホルダーの貫通孔が回路基板の拡張部によって覆われているので、該拡張部の絶縁性により、高電圧部品からホルダーの貫通孔を経て金属部に至る放電経路は形成されず、高電圧部品から回路基板の拡張部を迂回して金属部に至る放電経路が形成されることになる。この放電経路の空間距離は、従来の高電圧部品からホルダーの貫通孔を経て金属部に至る放電経路の空間距離よりも十分に長くなるため、十分な絶縁距離が確保される。
【発明の効果】
【００１４】
本発明に係る電子機器の絶縁構造によれば、単に回路基板に拡張部を突設するだけの簡易な構成で、高電圧部品からホルダーの貫通孔を経て金属部へ至る放電経路の放電を防止することが出来る、
【図面の簡単な説明】
【００１５】
【図１】図１は、本発明の一実施形態であるビデオカメラの外観を示す斜視図である。
【図２】図２は、図１に示すビデオカメラから前キャビネットを取り外した状態を示す斜視図である。
【図３】図３は、該ビデオカメラに内蔵されるストロボ発光装置の斜視図である。
【図４】図４は、該ストロボ発光装置の分解斜視図である。
【図５】図５は、図３に示すストロボ発光装置の要部を拡大した斜視図である。
【図６】図６は、同上の要部を拡大した断面図である。
【図７】図７は、同上の要部の断面を示す斜視図である。
【図８】図８は、従来のストロボ発光装置の斜視図である。
【図９】図９は、従来のストロボ発光装置の断面を示す斜視図である。
【図１０】図１０は、従来のストロボ発光装置の断面図である。
【発明を実施するための形態】
【００１６】
以下、本発明を動画及び静止画の撮影が可能なビデオカメラに実施した形態につき、図面に沿って具体的に説明する。
本発明の一実施形態であるビデオカメラは、図１に示す如く携帯可能な本体(１)の後部に操作部(11)、前部に撮影レンズ(12)を配備しており、本体(１)を手に把持した状態で撮影が可能である。
【００１７】
本体(１)の撮影レンズ(12)の下方位置には、ストロボ発光部(２)が配備されると共に、その側部には、ＤＣジャック(３)が配備されている。
本体(１)の前キャビネット(10)を取り外すと、図２の如く撮影時にストロボ発光部(２)を発光させるストロボ発光装置(７)が露出することになる。
図示の如くストロボ発光部(２)の近傍位置にＤＣジャック(３)を配備することによって、本体(１)の小型化が図られている。
【００１８】
ストロボ発光装置(７)は、図３〜図５に示す如く、低圧側回路基板(４)と高圧側回路基板(６)を具え、低圧側回路基板(４)の裏面には、ＤＣ電源を接続するためのＤＣジャック(３)と、充電用のコンデンサ(41)とが配備されている。
ＤＣジャック(３)は、半田によって低圧側回路基板(４)に接続されており、図４の如く、低圧側回路基板(４)の表面には、半田付けによる複数の金属部(40)が露出している。
【００１９】
又、低圧側回路基板(４)の表面には合成樹脂製のホルダー(５)が設置され、該ホルダー(５)上に高圧側回路基板(６)が保持されると共に、ホルダー(５)の端部にストロボ発光部(２)が取り付けられている。
高圧側回路基板(６)の表面には高電圧部品(61)が搭載されている。尚、高圧側回路基板(６)の裏面には、高電圧が印加される高圧パターンは形成されていない。
【００２０】
ホルダー(５)には、高圧側回路基板(６)を係止するためのフック(51)が一体成型によって形成されており、該フック(51)の直下には、フック(51)を一体成型する際の型抜きのための貫通孔(52)が開設されている。
尚、ホルダー(５)に高圧側回路基板(６)を固定するためにビス等の金属部品は用いられておらず、フック構造のみによってホルダー(５)上に高圧側回路基板(６)が固定されている。
【００２１】
高圧側回路基板(６)には、ホルダー(５)に設置された状態で貫通孔(52)を覆うこととなる拡張部(60)が形成されている。該拡張部(60)は電気絶縁性を有する基板本体を拡張したものに過ぎず、電子部品や導体パターンは設けられていない。
尚、ホルダー(５)の拡張部(60)は、従来のストロボ発光装置に装備されているホルダーには形成されていなかった。
【００２２】
上記本発明に係るストロボ発光装置(７)を内蔵したビデオカメラにおいては、図６及び図７に示す如くホルダー(５)の貫通孔(52)の直下に金属部(40)が存在するが、ホルダー(５)の貫通孔(52)は高圧側回路基板(６)の拡張部(60)によって覆われているので、該拡張部(60)の絶縁性により、高電圧部品(61)からホルダー(５)の貫通孔(52)を経て低圧側回路基板(４)上の金属部(40)へ至る放電経路は形成されず、高電圧部品(61)から高圧側回路基板(６)の拡張部(60)を迂回して金属部(40)に至る、大きく屈曲した放電経路が形成されることになる。
この放電経路の空間距離は、従来の高電圧部品からホルダーの貫通孔を経て金属部に至る放電経路の空間距離よりも十分に長くなるため、十分な絶縁距離が確保されることになる。
【００２３】
例えば、高電圧部品(61)の電圧が５０００Ｖの場合、上記ストロボ発光装置(７)によれば５ｍｍ以上の空間距離を確保することが出来るので、十分な絶縁性を得ることが出来る。
【００２４】
上記ビデオカメラによれば、上述の如くストロボ発光装置(７)を構成する高圧側回路基板(６)に拡張部(60)を突設するだけの簡易な構成で、高電圧部品(61)から金属部(40)への放電を防止することが出来る。
【００２５】
尚、本発明の各部構成は上記実施の形態に限らず、特許請求の範囲に記載の技術的範囲内で種々の変形が可能である。又、本発明は、ビデオカメラのストロボ発光装置に限らず、高電圧部品を具えた種々の電子機器に実施することが出来る。
【符号の説明】
【００２６】
(１)  本体
(２)  ストロボ発光部
(３)  ＤＣジャック
(４)  低圧側回路基板
(40)  金属部
(41)  コンデンサ
(５)  ホルダー
(51)  フック
(52)  貫通孔
(６)  高圧側回路基板
(60)  拡張部
(61)  高電圧部品
(７)  ストロボ発光装置
【図１】
2011137852.tif 000003
【図２】
2011137852.tif 000004
【図３】
2011137852.tif 000005
【図４】
2011137852.tif 000006
【図５】
2011137852.tif 000007
【図６】
2011137852.tif 000008
【図７】
2011137852.tif 000009
【図８】
2011137852.tif 000010
【図９】
2011137852.tif 000011
【図１０】
2011137852.tif 000012